(57)【要約】      （修正有）【課題】幼児の三輪車とキックスクーター（スケーター）に互換使用できる乗用玩具を提供する。【解決手段】玩具本体フレームＦのサドル受け台１０へ一定な設置高さの水平状態に取り付けられたサドルＳの上面をシート面３５として、幼児が跨がり坐る乗用玩具Ａであって、上記サドルＳの前後と上下を逆向きに変換して、上記サドル受け台１０へ沈没状態に取り付けることにより、そのサドルＳの上向きとなったステップ面に幼児が片足を載せるキックスクーターとして使用することもできるように構成した。【選択図】図１
0003173452.tif 000002
【実用新案登録請求の範囲】
【請求項１】
玩具本体フレームのサドル受け台へ一定な設置高さの水平状態に取り付けられたサドルの上面をシート面として、幼児が跨がり坐る乗用玩具であって、
上記サドルの前後と上下を逆向きに変換して、上記サドル受け台へ沈没状態に取り付けることにより、そのサドルの上向き反転したステップ面に幼児が片足を載せるキックスクーターとして使用することもできるように構成したことを特徴とする乗用玩具。
【請求項２】
玩具本体フレームのサドル受け台を前上がり傾斜壁面と水平な床面とが鈍角に交叉する側面視のほぼ倒立ヘ字形に造形して、その床面にサドルの座盤片受け入れ凹溝を陥没させ、
サドルを上記サドル受け台の前上がり傾斜壁面とほぼ対応する脚盤片と、上記床面のサドル座盤片受け入れ凹溝と対応合致する水平な座盤片とが、上記サドル受け台と同じ鈍角に交叉する側面視のほぼ倒立へ字形に屈曲形成して、
上記サドルの座盤片をサドル受け台のサドル座盤片受け入れ凹溝へ沈没状態に嵌合させると共に、そのサドルの前上がり傾斜姿勢にある脚盤片の上部前端を上記サドル受け台における前上がり傾斜壁面の上部前端へ、１本の水平な串刺しボルトを介して着脱自在に取り付け固定することにより、幼児が上記座盤片の上向くステップ面に片足を載せるキックスクーターとして使用できる一方、
上記サドルをその前後と上下の逆向く側面視のほぼヘ字形に変換して、その後下がり傾斜姿勢となる脚盤片の下部後端をサドル受け台におけるサドル座盤片受け入れ凹溝の後端部へ抜け止め状態に差し込むと共に、そのサドルにおける座盤片の上部前端を上記サドル受け台における前上がり傾斜壁面の上部前端へ、同じ１本の水平な串刺しボルトを介して着脱自在に取り付け固定することにより、幼児が上記座盤片の上向くシート面に跨がり坐る乗用玩具として使用できるように定めたことを特徴とする請求項１記載の乗用玩具。
【請求項３】
サドルを形作る脚盤片の先端部と座盤片の先端部から、互いに同じ水平な第１、２取付ステーを相反する前後方向へ連続的に張り出すと共に、その第１、２取付ステーの中心部に各々串刺しボルト受け入れ貫通孔を開口形成する一方、
サドル受け台における前上がり傾斜壁面の上部前端をサドルの上部前端受け止め凹段面として陥没させ、その陥没との相対的に隆起する左右両サイド面に、上記サドル側の串刺しボルト受け入れ貫通孔と合致連通し得る一対の串刺しボルト受け入れ貫通孔を開口形成すると共に、
上記サドル受け台の水平な床面から陥没するサドル座盤片受け入れ凹溝の後端部に、サドルの下部後端逃し入れ口と下部後端抜け止めトンネルとを連通状態に切り欠いて、
上記サドル側の第１、２取付ステーをサドル受け台側のサドル上部前端受け止め凹段面とサドル下部後端抜け止めトンネルへ互換的に取り付けることができ、
しかも、サドルの下部後端となる第１、２取付ステーの何れか一方は、そのサドル受け台のサドル下部後端抜け止めトンネルへ潜り込み状態として挿入するだけにとどめ、
同じくサドルの上部前端となる第１、２取付ステーの残る他方は、そのサドル受け台のサドル上部前端受け止め凹段面へ載置させた上、そのサドル側とサドル受け台側との互いに合致連通する上記串刺しボルト受け入れ貫通孔へ横方向から差し込まれる水平な串刺しボルトによって、サドル受け台の前上がり傾斜壁面へ取り付け固定するように定めたことを特徴とする請求項２記載の乗用玩具。
【請求項４】
サドルにおける幼児が跨がり坐る座盤片の上面をシート面として、そのシート面に幼児の滑り止め用となる複数の凹条を左右方向に沿い列設する一方、
上記サドルの前後と上下が逆向く変換により、幼児が片足を載せることになる座盤片の上面をステップ面として、そのステップ面に幼児の滑り止め用となる多数の凸条をやはり左右方向に沿い列設したことを特徴とする請求項２又は３記載の乗用玩具。
【請求項５】
サドルを形作る脚盤片の左右両サイド面に、片手で挟み持つことができる一対の手掛け凹溝を陥没させたことを特徴とする請求項２又は３記載の乗用玩具。
【考案の詳細な説明】
【技術分野】
【０００１】
本考案は公園や運動場、その他の整地された屋外において、約２０ｋｇまでの体重を有する１歳半〜４歳程度の幼児が、自から地面を蹴って走行遊戯する乗用玩具に関する。
【背景技術】
【０００２】
キックスクーター（スケーター）としても使える乗用玩具（三輪車）が、非特許文献１に市販品として掲載されている。これは、図１５のような幼児がサドル（１ａ）に跨がり、自からの両足により地面を蹴って走行遊戯する乗用玩具（三輪車）（Ａ）としての使用法と、図１６のような幼児がステップ（１ｂ）に片足を載せ、残る片足により地面を蹴って走行遊戯するキックスクーター（スケーター）（Ｂ）としての使用法とを選択できるようになっており、その２種の使い分けが上記サドル（１ａ）とステップ（１ｂ）との互いに同じ物を、異なる設置高さに付け変えることにより行われている点で、本考案に最も近似する公知技術であると考えられる。
【０００３】
尚、ハンドルバー（２）から垂下するハンドルポスト（３）が乗用玩具（三輪車）（Ａ）としての使用時には、図１５のように背低く短縮される一方、キックスクーター（スケーター）（Ｂ）としての使用時には、図１６のように背高く引き伸ばされることは言うまでもない。（４）は左右一対の前車輪、（５）は１個の後車輪である。
【先行技術文献】
【非特許文献】
【０００４】
【非特許文献１】リトルタイクス  ２ｉｎ１スクーター  三輪車からキックスクーターに  商品番号ＬＴ─６１６１１２  〔平成２３年９月３０日検索〕  インターネット＜ＵＲＬ：http://item.rakuten.co.jp/paranino/lt-616112/ ＞
【考案の概要】
【考案が解決しようとする課題】
【０００５】
ところが、図１５、１６に示した市販品の構成では、そのサドル（１ａ）又はステップ（１ｂ）となる同一物が玩具本体フレーム（６）のハンドル軸受けヘッド（７）へ、前端部だけの片持ち状態に取り付けられた単純な平盤をなすに過ぎないため、特に図１５のような玩具本体フレーム（６）から一定の設置高さ（ｈ１）だけ浮上したサドル（１ａ）としての使用状態において、これに跨がる幼児の体重を安定良く受け持つ強度に劣り、その幼児の反復的な振動を受けて、早期にガタツキ・破損してしまうのである。
【０００６】
他方、上記サドル（１ａ）を図１６のような最低位置まで下降させたステップ（１ｂ）としての使用状態では、そのステップ（１ｂ）が玩具本体フレーム（６）に積み重なるため、それだけ地上高さ（ｈ２）が高くなり、これに片足を載せる幼児の身長が低い場合、甚だ使い難くなるばかりでなく、転倒事故を起す危険性もある。
【０００７】
それにもまして、図１５のような乗用玩具（三輪車）（Ａ）のサドル（１ａ）として使用される平盤の上面（水平なシート面）が、そのまま図１６のようなキックスクーター（スケーター）（Ｂ）のステップ（１ｂ）として使用され、ここに幼児の片足が靴などを履いたまま載せられることになるため、その平盤の上面（水平な足載せ面）が汚損するだけにとどまらず、早期に変形したり、破損したりすることは必至であり、その意味からも耐用性に劣る。
【課題を解決するための手段】
【０００８】
本考案はこのような諸問題の抜本的な解決を目的としており、その目的を達成するために、請求項１では玩具本体フレームのサドル受け台へ一定な設置高さの水平状態に取り付けられたサドルの上面をシート面として、幼児が跨がり坐る乗用玩具であって、
【０００９】
上記サドルの前後と上下を逆向きに変換して、上記サドル受け台へ沈没状態に取り付けることにより、そのサドルの上向き反転したステップ面に幼児が片足を載せるキックスクーターとして使用することもできるように構成したことを特徴とする。
【００１０】
又、請求項２では玩具本体フレームのサドル受け台を前上がり傾斜壁面と水平な床面とが鈍角に交叉する側面視のほぼ倒立ヘ字形に造形して、その床面にサドルの座盤片受け入れ凹溝を陥没させ、
【００１１】
サドルを上記サドル受け台の前上がり傾斜壁面とほぼ対応する脚盤片と、上記床面のサドル座盤片受け入れ凹溝と対応合致する水平な座盤片とが、上記サドル受け台と同じ鈍角に交叉する側面視のほぼ倒立へ字形に屈曲形成して、
【００１２】
上記サドルの座盤片をサドル受け台のサドル座盤片受け入れ凹溝へ沈没状態に嵌合させると共に、そのサドルの前上がり傾斜姿勢にある脚盤片の上部前端を上記サドル受け台における前上がり傾斜壁面の上部前端へ、１本の水平な串刺しボルトを介して着脱自在に取り付け固定することにより、幼児が上記座盤片の上向くステップ面に片足を載せるキックスクーターとして使用できる一方、
【００１３】
上記サドルをその前後と上下の逆向く側面視のほぼヘ字形に変換して、その後下がり傾斜姿勢となる脚盤片の下部後端をサドル受け台におけるサドル座盤片受け入れ凹溝の後端部へ抜け止め状態に差し込むと共に、そのサドルにおける座盤片の上部前端を上記サドル受け台における前上がり傾斜壁面の上部前端へ、同じ１本の水平な串刺しボルトを介して着脱自在に取り付け固定することにより、幼児が上記座盤片の上向くシート面に跨がり坐る乗用玩具として使用できるように定めたことを特徴とする。
【００１４】
請求項３ではサドルを形作る脚盤片の先端部と座盤片の先端部から、互いに同じ水平な第１、２取付ステーを相反する前後方向へ連続的に張り出すと共に、その第１、２取付ステーの中心部に各々串刺しボルト受け入れ貫通孔を開口形成する一方、
【００１５】
サドル受け台における前上がり傾斜壁面の上部前端をサドルの上部前端受け止め凹段面として陥没させ、その陥没との相対的に隆起する左右両サイド面に、上記サドル側の串刺しボルト受け入れ貫通孔と合致連通し得る一対の串刺しボルト受け入れ貫通孔を開口形成すると共に、
【００１６】
上記サドル受け台の水平な床面から陥没するサドル座盤片受け入れ凹溝の後端部に、サドルの下部後端逃し入れ口と下部後端抜け止めトンネルとを連通状態に切り欠いて、
【００１７】
上記サドル側の第１、２取付ステーをサドル受け台側のサドル上部前端受け止め凹段面とサドル下部後端抜け止めトンネルへ互換的に取り付けることができ、
【００１８】
しかも、サドルの下部後端となる第１、２取付ステーの何れか一方は、そのサドル受け台のサドル下部後端抜け止めトンネルへ潜り込み状態として挿入するだけにとどめ、
【００１９】
同じくサドルの上部前端となる第１、２取付ステーの残る他方は、そのサドル受け台のサドル上部前端受け止め凹段面へ載置させた上、そのサドル側とサドル受け台側との互いに合致連通する上記串刺しボルト受け入れ貫通孔へ横方向から差し込まれる水平な串刺しボルトによって、サドル受け台の前上がり傾斜壁面へ取り付け固定するように定めたことを特徴とする。
【００２０】
請求項４ではサドルにおける幼児が跨がり坐る座盤片の上面をシート面として、そのシート面に幼児の滑り止め用となる複数の凹条を左右方向に沿い列設する一方、
【００２１】
上記サドルの前後と上下が逆向く変換により、幼児が片足を載せることになる座盤片の上面をステップ面として、そのステップ面に幼児の滑り止め用となる多数の凸条をやはり左右方向に沿い列設したことを特徴とする。
【００２２】
更に、請求項５ではサドルを形作る脚盤片の左右両サイド面に、片手で挟み持つことができる一対の手掛け凹溝を陥没させたことを特徴とする。
【考案の効果】
【００２３】
請求項１の構成によれば、乗用玩具のサドルを前後と上下（表裏）の逆向きに変換して、玩具本体フレームのサドル受け台へ付け変えるだけで、幼児が跨がり坐った両足で地面を蹴る乗用玩具としての使用のみならず、上下の反転したサドルに幼児が片足を載せ、残る片足で地面を蹴るキックスクーター（スケーター）としても使用することができ、著しく便利である。
【００２４】
しかも、サドルの上下（表裏）が幼児の跨がり坐るシート面と、幼児が片足を載せるステップ面（踏面）として、各別に使用されるようになっているため、冒頭に述べた従来の市販品のように、そのシート面が靴などを履いた片足によって汚損されるおそれはなく、その坐るたび毎の頻繁な清掃作業を行う必要や、サドルが早期に変形したり、破損したりするおそれもない。
【００２５】
又、キックスクーター（スケーター）としての使用時には、上下と前後の逆向きに変換されたサドルが、その玩具本体フレームのサドル受け台へ沈没状態に取り付けられるため、その幼児の片足を載せるステップ面の地上高さが、サドル受け台の厚み分に相当するそれとして、著しく低く確保されることとなり、その結果幼児の身長差に左右されることなく、誰でも安全に安定良く使用することができ、冒頭に述べた市販品のような転倒事故などを起す危険性はない。
【００２６】
その場合、請求項２の構成を採用するならば、前上がり傾斜壁面と水平な床面とから側面視のほぼ倒立ヘ字形をなす玩具本体フレームのサドル受け台に対して、これとほぼ対応する脚盤片と水平な座盤片とから側面視のほぼ倒立へ字形に屈曲形成されたサドルを、言わばそのままの姿勢状態として取り付けることにより、その水平な座盤片の上向くステップ面に幼児が片足を載せるキックスクーター（スケーター）としての使用状態を得られる一方、上記サドルの前後と上下（表裏）が逆向く側面視のほぼヘ字形に姿勢変換させて、玩具本体フレームのサドル受け台へ同じ着脱操作により取り付ければ、その水平な座盤片の上向き反転したシート面に幼児が跨がり坐る乗用玩具としての使用状態を得られるのであり、使用上の安定性と利便性に優れる。
【００２７】
特に、請求項３の構成を採用するならば、サドルに形成された第１、２取付ステーが互いに同一であり、玩具本体フレームのサドル受け台に形成されたサドル上部前端受け止め凹段面とサドル下部後端抜け止めトンネルとが互いに同一であって、互換性を有するため、そのサドルの前後と上下（表裏）を変換しやすく、しかもサドルの下部後端はサドル受け台のサドル下部後端抜け止めトンネルへ潜り込み状態に挿入されるだけであるにとどまり、サドルの上部前端だけをサドル受け台のサドル上部前端受け止め凹段面に受け止めた状態のもとで、横方向から抜き差し可能な水平の串刺しボルトによって、上記サドル受け台の前上がり傾斜壁面へ取り付け固定するようになっているため、その取り付けと取りはずしの操作性がますます向上する。
【００２８】
更に、請求項４の構成を採用するならば、サドルにおける水平な座盤片の上下（表裏）を各別のシート面並びにステップ面として、その何れも使用中に幼児が滑らない安定状態に保つことができる。請求項５の構成を採用するならば、特にサドルの脚盤片をサドル受け台の前上がり傾斜壁面から取りはずす時、その操作を容易に便利良く行える効果がある。
【図面の簡単な説明】
【００２９】
【図１】本考案に係る乗用玩具（三輪車）としての使用状態を示す斜面図である。
【図２】図１の側面図である。
【図３】図２の平面図である。
【図４】図３の４−４線断面図である。
【図５】玩具本体フレームを抽出して示す平面図である。
【図６】図５の右側面図である。
【図７】図５の７−７線断面図である。
【図８】サドルを抽出して示す側面図である。
【図９】図８の平面図である。
【図１０】図８のの右側面図である。
【図１１】本考案に係るキックスクーター（スケーター）としての使用状態を示す斜面図である。
【図１２】図１１の側面図である。
【図１３】図１２の平面図である。
【図１４】図１３の１４−１４線断面図である。
【図１５】従来の市販品における乗用玩具（三輪車）としての使用状態を示す斜面図である。
【図１６】同じくキックスクーター（スケーター）としての使用状態を示す斜面図である。
【考案を実施するための形態】
【００３０】
以下、図面に基いて本考案の好適な実施形態を詳述すると、図１〜４はその乗用玩具（三輪車）（Ａ）としての使用状態を示しており、（Ｆ）はポリエチレンやポリプロピレン、その他の熱可塑性樹脂から一体成形（好ましくはブロー成形）された玩具本体フレームであって、側面視のほぼ倒立ヘ字形をなすサドル受け台（１０）と、その前部から連続的に張り出すハンドル軸受けヘッド（１１）と、同じくサドル受け台（１０）の後部から連続的に後方へ延長する後車軸受けテール（１２）とを備えている。
【００３１】
更に言えば、上記玩具本体フレーム（Ｆ）を抽出して示した図５〜７から明白なように、そのサドル受け台（１０）は前上がり傾斜壁面（１０ａ）と水平な床面（１０ｂ）との鈍角（好ましくは約１００度）（α）に交叉した屈曲形状を呈しており、その前上がり傾斜壁面（１０ａ）の上部から前方と上方へ連続的に張り出すノーズコーン状のハンドル軸受けヘッド（１１）には、ハンドル受け入れ孔（１３）が後上がり傾斜状態に貫通形成されている。
【００３２】
又、上記サドル受け台（１０）の水平な床面（１０ｂ）は前部から後部へ行く程、徐々に幅広く左右方向へ張り出し形成されており、その後部の中央から狭幅な後車軸受けテール（１２）が一定長さ（Ｅ）だけ後方へ水平に張り出している。（１４）はその後車軸受けテール（１２）における左右一対の軸受けボス（１５）も含む全体を貫通する水平な後車軸受け入れ孔であり、ここへ差し込み横架される水平な後車軸（１６）を介して、左右一対の後車輪（１７）が遊転自在に支持されることとなる。尚、その後車輪（１７）のフェンダー（図示省略）を上記後車軸受けテール（１２）の左右両サイド面から連続的に曲げ起しても良い。
【００３３】
そして、後述のサドル（Ｓ）と対応合致する大きさ・輪郭形状のサドル受け入れ凹溝（Ｇ１）（Ｇ２）が、上記サドル受け台（１０）の前上がり傾斜壁面（１０ａ）から水平な床面（１０ｂ）まで及ぶ全体的な一連の陥没状態に形成されている。
【００３４】
その場合、図７から明白なように、前上がり傾斜壁面（１０ａ）に陥没するサドル受け入れ凹溝はサドル脚盤片受け入れ凹溝（Ｇ１）として、その深さの比較的浅く形成されている一方、水平な床面（１０ｂ）に陥没するサドル受け入れ凹溝はサドル座盤片受け入れ凹溝（Ｇ２）として、その深さの比較的深く形成されている。
【００３５】
但し、前上がり傾斜壁面（１０ａ）のサドル脚盤片受け入れ凹溝（Ｇ１）を浅く陥没させた理由は、後述するサドル（Ｓ）の脚盤片に陥没する左右一対の手掛け凹溝が遮蔽されてしまうことを防ぐことにあるため、そのサドル脚盤片受け入れ凹溝（Ｇ１）の形成を省略しても良い。
【００３６】
更に、上記前上がり傾斜壁面（１０ａ）の上部前端には後述するサドル（Ｓ）の上部前端受け止め凹段面（１８）が、そのサドル脚盤片受け入れ凹溝（Ｇ１）と連通する図５、７のような平面視の倒立Ｕ字形（後向きに開放するＵ字形）に陥没している。（Ｗ）（Ｄ）（Ｌ）はそのサドル上部前端受け止め凹段面（１８）の開口幅と深さ並びに奥行を示している。
【００３７】
（１９）はその陥没との相対的に隆起する左右両サイド壁面へ、向かい合う一対として開口分布された串刺しボルト受け入れ貫通孔であり、その何れか一方の外端部が後述するサドル固定用串刺しボルトの径大な頭部を受け入れる円形に開口しているに比して、残る他方の外端部は後述する固定ナットの廻り止め用として角形（好ましくは六角形）に開口している。
【００３８】
又、上記水平な床面（１０ｂ）の後端部（後車軸受けテールとの境界部）にはサドル（Ｓ）の下部後端逃し入れ口（２０）が、そのサドル座盤片受け入れ凹溝（Ｇ２）と連通する図５、７のような底無し状態に切り抜かれている。（２１）はそのサドル（Ｓ）の下部後端逃し入れ口（２０）と同じ開口幅（Ｗ）として合致連通するサドル（Ｓ）の下部後端抜け止めトンネルであり、その天井面（２１ｃ）によってサドル（Ｓ）の下部後端を抜け止め状態に保つ。
【００３９】
つまり、上記サドル（Ｓ）の上部前端受け止め凹段面（１８）が図７のような上向き開口状態にあって、サドル（Ｓ）の上部前端を下方から受け止めるに比し、同じくサドル（Ｓ）の下部後端抜け止めトンネル（２１）は上記サドル（Ｓ）の上部前端受け止め凹段面（１８）とほぼ同じ開口幅（Ｗ）と深さ（Ｄ）並びに奥行（Ｌ）を有するも、その上部前端受け止め凹段面（１８）と逆な下向き開口状態にあり、上記サドル（Ｓ）の下部後端逃し入れ口（２０）からサドル下部後端抜け止めトンネル（２１）の内部へ円滑に潜り込み挿入されたサドル（Ｓ）の下部後端が上方へ抜け出すおそれを、その天井面（２１ｃ）によって防止できるようになっている。
【００４０】
しかも、上記サドル（Ｓ）の上部前端受け止め凹段面（１８）が図５のような平面視の倒立Ｕ字形（後向きに開放するＵ字形）をなすに比して、サドル（Ｓ）の下部後端抜け止めトンネル（２１）はこれと言わば前後方向から向かい合う底面視のＵ字形（前向きに開放するＵ字形）をなしており、その輪郭形状と大きさが互いにほぼ同一として、サドル（Ｓ）の上部前端と下部後端とを互換的に受け止め拘束できる関係にある。
【００４１】
（２２）は倒立Ｕ字形の金属板（好ましくは鋼板）から成る前フォークであり、これから一体的に起立する金属管（同じく鋼管）のステム（２３）が、上記玩具本体フレーム（Ｆ）におけるハンドル軸受けヘッド（１１）のハンドル受け入れ孔（１３）へ、下方から抜き差し自在に差し込み貫通されている。
【００４２】
（２４）は前車輪のフェンダーを兼ねた熱可塑性樹脂製の前フォークカバーであり、その前フォーク（２２）のステム（２３）へ通し込み一体化されている。（２５）は前フォーク（２２）とその前フォークカバー（２４）の下端部に固定横架された水平な前車軸であり、１個の前車輪（２６）を遊転自在に支持している。
【００４３】
更に、（２７）は上記前フォーク（２２）のステム（２３）へ上方から抜き差し自在に差し込み嵌合された金属管（好ましくは鋼管）のハンドルポストであり、その嵌合部を被覆する熱可塑性樹脂製の連結カバー（２８）と、同じく嵌合部を貫通する連結ボルト・ナット（２９）によって、前フォーク（２２）と一体的に回動し得るようになっている。
【００４４】
その場合、前フォーク（２２）のステム（２３）並びに連結カバー（２８）と嵌合するハンドルポスト（２７）には、少なくとも上下一対の連結ボルト受け入れ孔（３０ａ）（３０ｂ）が開口分布されており、その上側の連結ボルト受け入れ孔（３０ａ）へ上記連結ボルト・ナット（２９）を差し込むことによって、ハンドルポスト（２７）を図１〜４のような背低く短縮した起立状態に固定維持することができ、その連結ボルト・ナット（２９）を引き抜いて、下側の連結ボルト受け入れ孔（３０ｂ）へ差し替えることにより、同じくハンドルポスト（２７）を図１１〜１４のような背高く引き伸ばした起立状態に固定維持することができるようになっている。
【００４５】
何れにしても、上記ハンドルポスト（２７）の上端部には熱可塑性樹脂製のハンドルバー（３１）が、上下一対づつの貫通ボルト・ナット（３２）を介して被覆状態に取り付け固定されているため、これを幼児が両手で握り持ち乍ら、前車輪（２６）の操向を行えるのである。（３３）は上記ハンドル軸受けヘッド（１１）のハンドル受け入れ孔（１３）へ差し込み封止された上下一対の熱可塑性樹脂製スペーサーである。
【００４６】
先に一言したサドル（Ｓ）は玩具本体フレーム（Ｆ）と同じポリエチレンやポリプロピレンなどの熱可塑性樹脂から、そのサドル受け台（１０）のサドル受け入れ凹溝（Ｇ１）（Ｇ２）と対応する側面視のほぼ倒立へ字形に一体成形（好ましくはブロー成形）されており、これを図１〜４のように玩具本体フレーム（Ｆ）へ、前後と上下（表裏）の逆向く側面視のほぼへ字形となるように取り付ければ、そのサドル（Ｓ）へ幼児の跨がり坐ることができる乗用玩具（三輪車）（Ａ）としての使用状態を得られるようになっている。
【００４７】
即ち、サドル（Ｓ）は図８〜１０に抽出して示す如く、上記サドル受け台（１０）の前上がり傾斜壁面（１０ａ）に陥没しているサドル脚盤片受け入れ凹溝（Ｇ１）とほぼ対応合致する比較的短かい脚盤片（３４ａ）と、同じくサドル受け台（１０）の水平な床面（１０ｂ）に陥没しているサドル座盤片受け入れ凹溝（Ｇ２）と対応合致する比較的長い座盤片（３４ｂ）とを備え、その脚盤片（３４ａ）と座盤片（３４ｂ）とが上記サドル受け台（１０）と同じ鈍角（好ましくは約１００度）（α）に交叉した屈曲形状をなしている。
【００４８】
しかも、そのサドル（Ｓ）としての使用時に幼児が跨がり坐る水平な座盤片（３４ｂ）の上面（表面）は、シート面（３５）として側面視の滑らかな凹曲面に形成されている一方、その座盤片（３４ｂ）の下面（裏面）は幼児が片足を載せるステップ面（踏面）（３６）として、ここには片足の滑り止め用となる多数の凸条（３７）が、左右方向に沿い列設されている。
【００４９】
上記シート面（３５）の後上がり傾斜面には幼児の滑り止め用となる複数の凹条（３８）が、左右方向に沿って列設されており、しかもそのシート面（３５）の隆起した後端部は平面視の円弧形に縁取りされている。（３９）は上記サドル（Ｓ）における脚盤片（３４ａ）の左右両サイド面に陥没する一対の手掛け凹溝であり、幼児の保護者などがサドル（Ｓ）を玩具本体フレーム（Ｆ）から取りはずす時、その片手を掛けて挟み持つために使用する。
【００５０】
又、図８〜１０のような側面視のほぼヘ字形に屈曲するサドル（Ｓ）の比較的短かい脚盤片（３４ａ）と比較的長い座盤片（３４ｂ）のうち、その脚盤片（３４ａ）の先端部からは一定の幅（Ｘ）と長さ（Ｙ）並びに太さ（Ｚ）を有するダボ状（角棒状）の第１取付ステー（４０）が、座盤片（３４ｂ）と反対の方向（外方）へほぼ直角（β）に曲げ出されて、その座盤片（３４ｂ）とほぼ平行な水平状態にある。
【００５１】
他方、座盤片（３４ｂ）の先端部からも上記第１取付ステー（４０）と同じ一定の幅（Ｘ）と長さ（Ｙ）並びに太さ（Ｚ）を有するダボ状（角棒状）の第２取付ステー（４１）が、そのシート面（３５）の延長方向（上記第１取付ステーの張り出し方向と逆な外方）へほぼ水平に張り出されており、上記第１取付ステー（４０）とほぼ平行している。
【００５２】
（４２）はこのような第１、２取付ステー（４０）（４１）の中心部に形成された互いに同じ串刺しボルト受け入れ貫通孔であって、上記サドル受け台（１０）側の串刺しボルト受け入れ貫通孔（１９）と合致連通し得るようになっており、ここへ後述するサドル固定用の長い串刺しボルト（４３）が横方向から抜き差し自在に差し込まれ、その先端部に固定ナット（４４）が締結されることとなる。
【００５３】
茲に、サドル（Ｓ）の第１、２取付ステー（４０）（４１）は上記サドル受け台（１０）に形成されているサドル上部前端受け止め凹段面（１８）及びサドル下部後端抜け止めトンネル（２１）と同様に、串刺しボルト受け入れ貫通孔（４２）も含む全体の互いにほぼ同じ大きさ・形状として互換性を有し、サドル（Ｓ）をその玩具本体フレーム（Ｆ）のサドル受け台（１０）へ、前後と上下（表裏）の逆向きに変換して取り付け使用できるようになっている。
【００５４】
そこで、図１〜４のような乗用玩具（三輪車）（Ａ）として使用する場合には、その側面視のほぼヘ字形をなすサドル（Ｓ）の後下がり傾斜姿勢（前上がり傾斜姿勢）に起立する脚盤片（３４ａ）の先端部（下部後端）から外向き（後向き）に曲がり出す水平な第１取付ステー（４０）を、先ず上記サドル受け台（１０）のサドル下部後端逃し入れ口（２０）からサドル下部後端抜け止めトンネル（２１）の内部へ潜り込む状態に挿入する。
【００５５】
次いで、サドル（Ｓ）における座盤片（３４ｂ）の先端部（上部前端）から外向き（前向き）に張り出し延長する水平な第２取付ステー（４１）を、同じくサドル受け台（１０）のサドル上部前端受け止め凹段面（１８）に載置させた後、そのサドル（Ｓ）側とサドル受け台（１０）側との互いに合致連通する串刺しボルト受け入れ貫通孔（１９）（４２）へ、横方向から１本の長い串刺しボルト（４３）を差し込み貫通させて、その串刺しボルト（４３）の先端部へ固定ナット（４４）を締結することにより、サドル（Ｓ）を玩具本体フレーム（Ｆ）におけるサドル受け台（１０）の就中前上がり傾斜壁面（１０ａ）へ取り付け固定する。
【００５６】
そうすれば、サドル（Ｓ）の座盤片（３４ｂ）が後下がり傾斜姿勢（前上がり傾斜姿勢）として起立する脚盤片（３４ａ）により、玩具本体フレーム（Ｆ）のサドル受け台（１０）へ一定な設置高さ（Ｈ１）の水平状態に安定良く支持されることとなるため、幼児はその座盤片（３４ｂ）のシート面（３５）へ跨がる状態に坐って、自分の両足により地面を蹴り走行することができる。
【００５７】
その場合、サドル受け台（１０）の比較的深いサドル座盤片受け入れ凹溝（Ｇ２）は上向き開口状態に放置されるため、その内部へ遊戯用や清掃用などの適当な小物類（図示省略）を収納したり、又そのサドル座盤片受け入れ凹溝（Ｇ２）の後端部にはサドル下部後端逃し入れ口（２０）が底無し状態に連通開口しているため、上記サドル座盤片受け入れ凹溝（Ｇ２）の内部に万一溜まった土砂などの異物を不使用時に、そのサドル下部後端逃し入れ口（２０）から外部へ掃き出し落下させたりすることができ、便利である。
【００５８】
上記のようなサドル（Ｓ）へ跨がり坐る乗用玩具（三輪車）（Ａ）として使用する場合には、図１〜４から併せて明白なように、ハンドルポスト（２７）における下側の連結ボルト受け入れ孔（３０ｂ）へ連結ボルト・ナット（２９）を差し込んで、そのハンドルバー（３１）を上記シート面（３５）に坐った幼児が握り持ち操向できる背低い固定状態に保つのである。
【００５９】
他方、図１１〜１４のようなキックスクーター（スケーター）（Ｂ）として使用する場合には、図１〜４の状態にあるサドル（Ｓ）をその固定用串刺しボルト（４３）の引き抜きにより、玩具本体フレーム（Ｆ）のサドル受け台（１０）から一旦取りはずし、前後と上下（表裏）の逆向く側面視のほぼ倒立ヘ字形に変換する。
【００６０】
そして、先ず上記サドル（Ｓ）における座盤片（３４ｂ）の先端部（下部後端）から外向き（後向き）に張り出し延長する水平な第２取付ステー（４１）を、サドル受け台（１０）のサドル下部後端逃し入れ口（２０）からサドル下部後端抜け止めトンネル（２１）の内部へ、やはり潜り込む状態に挿入する。
【００６１】
次に、サドル（Ｓ）の前上がり傾斜姿勢として起立する脚盤片（３４ａ）の先端部（上部前端）から外向き（前向き）に曲がり出す水平な第１取付ステー（４０）を、同じくサドル受け台（１０）のサドル上部前端受け止め凹段面（１８）に載置させた後、そのサドル（Ｓ）側とサドル受け台（１０）側との互いに合致連通する串刺しボルト受け入れ貫通孔（１９）（４２）へ、やはり横方向から同じ串刺しボルト（４３）を差し込み貫通させて、その先端部へ固定ナット（４４）を締結することにより、上記サドル（Ｓ）を玩具本体フレーム（Ｆ）におけるサドル受け台（１０）の同じ前上がり傾斜壁面（１０ａ）へ取り付け固定するのである。
【００６２】
そうすれば、サドル（Ｓ）の座盤片（３４ｂ）が玩具本体フレーム（Ｆ）におけるサドル受け台（１０）の水平な床面（１０ｂ）に陥没している深いサドル座盤片受け入れ凹溝（Ｇ２）の内部へ、完全な沈没状態に嵌合して、その座盤片（３４ｂ）の上向き反転したステップ面（３６）と、サドル受け台（１０）の床面（１０ｂ）とが互いに無段差の均一な上面（表面）を形成することになるばかりでなく、そのステップ面（３６）の地上高さ（Ｈ２）が著しく低く確保されることにもなる。
【００６３】
そのため、幼児はその片足を上記座盤片（３４ｂ）のステップ面（３６）へ、安全に安定良く載せることができ、残る片足により地面を蹴って走行し得るのであり、幼児の身長差に拘らず、常に使いやすくなる。
【００６４】
このようなキックスクーター（スケーター）（Ｂ）として使用する場合には、図１１〜１４から併せて明白なように、ハンドルポスト（２７）における上側の連結ボルト受け入れ孔（３０ａ）へ連結ボルト・ナット（２９）を差し替えて、そのハンドルバー（３１）を上記ステップ面（３６）へ言わば立ち乗りする幼児が握り持ち操向できる背高い固定状態に保つ。
【００６５】
先にはサドル（Ｓ）を図１〜４のような乗用玩具（三輪車）（Ａ）としての使用状態から、図１１〜１４のようなキックスクーター（スケーター）（Ｂ）としての使用状態へ、前後と上下（表裏）の逆向きに変換して取り付ける旨を説明したが、そのキックスクーター（スケーター）（Ｂ）としての使用状態から乗用玩具（三輪車）（Ａ）としての使用状態へ、サドル（Ｓ）を付け変えることも勿論でき、その着脱操作は同じである。
【００６６】
その場合、図１１〜１４の使用状態にあるサドル（Ｓ）の脚盤片（３４ａ）に陥没している左右一対の手掛け凹溝（３９）は、サドル受け台（１０）の前上がり傾斜壁面（１０ａ）によって遮蔽されておらず、その横方向への開口状態にあるため、上記サドル（Ｓ）の脚盤片（３４ａ）を玩具本体フレーム（Ｆ）のサドル受け台（１０）から取りはずす時に、その手掛け凹溝（３９）へ片手を掛けて挟み持つことができ、著しく便利である。
【００６７】
更に、上記サドル（Ｓ）を図１〜４のような乗用玩具（三輪車）（Ａ）としての使用状態から、図１１〜１４のようなキックスクーター（スケーター）（Ｂ）としての使用状態へ又はその逆方向へ変換する何れの場合でも、そのサドル（Ｓ）の下部後端は玩具本体フレーム（Ｆ）のサドル受け台（１０）に形成されたサドル下部後端抜け止めトンネル（２１）の内部へ、ただ単なる潜り込み状態に抜き差し操作すれば良く、サドル（Ｓ）の上部前端だけを上記サドル受け台（１０）の前上がり傾斜壁面（１０ａ）に形成されたサドル上部前端受け止め凹段面（１８）へ載置して、その前上がり傾斜壁面（１０ａ）へ１本の抜き差し可能なサドル固定用串刺しボルト（４３）により、着脱自在に取り付け固定すれば足りるため、上記使用状態の変換とそのサドル受け台（１０）への取り付け作業を、言わばワンタッチ操作式での軽快に行なえるのである。
【００６８】
尚、図示実施形態の乗用玩具（Ａ）は１個の前車輪（２６）と左右一対の後車輪（１７）を有する三輪車であるが、これに代る左右一対の前車輪（２６）と１個の後車輪（１７）から成る三輪車や、左右一対づつの前車輪（２６）と後車輪（１７）から成る四輪車であっても、本考案を適用することができる。
【符号の説明】
【００６９】
（１０）・サドル受け台
（１０ａ）・前上がり傾斜壁面
（１０ｂ）・床面
（１１）・ハンドル軸受けヘッド
（１２）・後車軸受けテール
（１３）・ハンドル受け入れ孔
（１４）・後車軸受け入れ孔
（１５）・軸受けボス
（１６）・後車軸
（１７）・後車輪
（１８）・サドル上部前端受け止め凹段面
（１９）・串刺しボルト受け入れ貫通孔
（２０）・サドル下部後端逃し入れ口
（２１）・サドル下部後端抜け止めトンネル
（２１ｃ）・天井面
（２２）・前フォーク
（２３）・ステム
（２４）・前フォークカバー
（２５）・前車軸
（２６）・前車輪
（２７）・ハンドルポスト
（２８）・連結カバー
（２９）・連結ボルト・ナット
（３０ａ）（３０ｂ）・連結ボルト受け入れ孔
（３１）・ハンドルバー
（３２）・貫通ボルト・ナット
（３３）・スペーサー
（３４ａ）・脚盤片
（３４ｂ）・座盤片
（３５）・シート面
（３６）・ステップ面
（３７）・滑り止め凸条
（３８）・滑り止め凹条
（３９）・手掛け凹溝
（４０）・第１取付ステー
（４１）・第２取付ステー
（４２）・串刺しボルト受け入れ貫通孔
（４３）・串刺しボルト
（４４）・固定ナット
（Ａ）・乗用玩具（三輪車）
（Ｂ）・キックスクーター（スケーター）
（Ｆ）・玩具本体フレーム
（Ｓ）・サドル
（Ｇ１）・サドル脚盤片受け入れ凹溝
（Ｇ２）・サドル座盤片受け入れ凹溝
（Ｈ１）・サドルの設置高さ
（Ｈ２）・ステップの地上高さ
【図１】
0003173452.tif 000003
【図２】
0003173452.tif 000004
【図３】
0003173452.tif 000005
【図４】
0003173452.tif 000006
【図５】
0003173452.tif 000007
【図６】
0003173452.tif 000008
【図７】
0003173452.tif 000009
【図８】
0003173452.tif 000010
【図９】
0003173452.tif 000011
【図１０】
0003173452.tif 000012
【図１１】
0003173452.tif 000013
【図１２】
0003173452.tif 000014
【図１３】
0003173452.tif 000015
【図１４】
0003173452.tif 000016
【図１５】
0003173452.tif 000017
【図１６】
0003173452.tif 000018
【手続補正書】
【提出日】平成23年11月24日(2011.11.24)
【手続補正１】
【補正対象書類名】実用新案登録請求の範囲
【補正対象項目名】全文
【補正方法】変更
【補正の内容】
【実用新案登録請求の範囲】
【請求項１】
玩具本体フレームのサドル受け台を前上がり傾斜壁面と水平な床面とが鈍角に交叉する側面視のほぼ倒立ヘ字形に造形して、その床面にサドルの座盤片受け入れ凹溝を陥没させ、
サドルを上記サドル受け台の前上がり傾斜壁面とほぼ対応する脚盤片と、上記床面のサドル座盤片受け入れ凹溝と対応合致する水平な座盤片とが、上記サドル受け台と同じ鈍角に交叉する側面視のほぼ倒立へ字形に屈曲形成して、
上記サドルの座盤片をサドル受け台のサドル座盤片受け入れ凹溝へ沈没状態に嵌合させると共に、そのサドルの前上がり傾斜姿勢にある脚盤片の上部前端を上記サドル受け台における前上がり傾斜壁面の上部前端へ、１本の水平な串刺しボルトを介して着脱自在に取り付け固定することにより、幼児が上記座盤片の上向くステップ面に片足を載せるキックスクーターとして使用できる一方、
上記サドルをその前後と上下の逆向く側面視のほぼヘ字形に変換して、その後下がり傾斜姿勢となる脚盤片の下部後端をサドル受け台におけるサドル座盤片受け入れ凹溝の後端部へ抜け止め状態に差し込むと共に、そのサドルにおける座盤片の上部前端を上記サドル受け台における前上がり傾斜壁面の上部前端へ、同じ１本の水平な串刺しボルトを介して着脱自在に取り付け固定することにより、幼児が上記座盤片の上向くシート面に跨がり坐る乗用玩具として使用できるように定めたことを特徴とする乗用玩具。
【請求項２】
サドルを形作る脚盤片の先端部と座盤片の先端部から、互いに同じ水平な第１、２取付ステーを相反する前後方向へ連続的に張り出すと共に、その第１、２取付ステーの中心部に各々串刺しボルト受け入れ貫通孔を開口形成する一方、
サドル受け台における前上がり傾斜壁面の上部前端をサドルの上部前端受け止め凹段面として陥没させ、その陥没との相対的に隆起する左右両サイド面に、上記サドル側の串刺しボルト受け入れ貫通孔と合致連通し得る一対の串刺しボルト受け入れ貫通孔を開口形成すると共に、
上記サドル受け台の水平な床面から陥没するサドル座盤片受け入れ凹溝の後端部に、サドルの下部後端逃し入れ口と下部後端抜け止めトンネルとを連通状態に切り欠いて、
上記サドル側の第１、２取付ステーをサドル受け台側のサドル上部前端受け止め凹段面とサドル下部後端抜け止めトンネルへ互換的に取り付けることができ、
しかも、サドルの下部後端となる第１、２取付ステーの何れか一方は、そのサドル受け台のサドル下部後端抜け止めトンネルへ潜り込み状態として挿入するだけにとどめ、
同じくサドルの上部前端となる第１、２取付ステーの残る他方は、そのサドル受け台のサドル上部前端受け止め凹段面へ載置させた上、そのサドル側とサドル受け台側との互いに合致連通する上記串刺しボルト受け入れ貫通孔へ横方向から差し込まれる水平な串刺しボルトによって、サドル受け台の前上がり傾斜壁面へ取り付け固定するように定めたことを特徴とする請求項１記載の乗用玩具。
【請求項３】
サドルにおける幼児が跨がり坐る座盤片の上面をシート面として、そのシート面に幼児の滑り止め用となる複数の凹条を左右方向に沿い列設する一方、
上記サドルの前後と上下が逆向く変換により、幼児が片足を載せることになる座盤片の上面をステップ面として、そのステップ面に幼児の滑り止め用となる多数の凸条をやはり左右方向に沿い列設したことを特徴とする請求項１又は２記載の乗用玩具。
【請求項４】
サドルを形作る脚盤片の左右両サイド面に、片手で挟み持つことができる一対の手掛け凹溝を陥没させたことを特徴とする請求項１又は２記載の乗用玩具。
【手続補正２】
【補正対象書類名】明細書
【補正対象項目名】全文
【補正方法】変更
【補正の内容】
【考案の詳細な説明】
【技術分野】
【０００１】
本考案は公園や運動場、その他の整地された屋外において、約２０ｋｇまでの体重を有する１歳半〜４歳程度の幼児が、自から地面を蹴って走行遊戯する乗用玩具に関する。
【背景技術】
【０００２】
キックスクーター（スケーター）としても使える乗用玩具（三輪車）が、非特許文献１に市販品として掲載されている。これは、図１５のような幼児がサドル（１ａ）に跨がり、自からの両足により地面を蹴って走行遊戯する乗用玩具（三輪車）（Ａ）としての使用法と、図１６のような幼児がステップ（１ｂ）に片足を載せ、残る片足により地面を蹴って走行遊戯するキックスクーター（スケーター）（Ｂ）としての使用法とを選択できるようになっており、その２種の使い分けが上記サドル（１ａ）とステップ（１ｂ）との互いに同じ物を、異なる設置高さに付け変えることにより行われている点で、本考案に最も近似する公知技術であると考えられる。
【０００３】
尚、ハンドルバー（２）から垂下するハンドルポスト（３）が乗用玩具（三輪車）（Ａ）としての使用時には、図１５のように背低く短縮される一方、キックスクーター（スケーター）（Ｂ）としての使用時には、図１６のように背高く引き伸ばされることは言うまでもない。（４）は左右一対の前車輪、（５）は１個の後車輪である。
【先行技術文献】
【非特許文献】
【０００４】
【非特許文献１】リトルタイクス  ２ｉｎ１スクーター  三輪車からキックスクーターに  商品番号ＬＴ─６１６１１２  〔平成２３年９月３０日検索〕  インターネット＜ＵＲＬ：http://item.rakuten.co.jp/paranino/lt-616112/ ＞
【考案の概要】
【考案が解決しようとする課題】
【０００５】
ところが、図１５、１６に示した市販品の構成では、そのサドル（１ａ）又はステップ（１ｂ）となる同一物が玩具本体フレーム（６）のハンドル軸受けヘッド（７）へ、前端部だけの片持ち状態に取り付けられた単純な平盤をなすに過ぎないため、特に図１５のような玩具本体フレーム（６）から一定の設置高さ（ｈ１）だけ浮上したサドル（１ａ）としての使用状態において、これに跨がる幼児の体重を安定良く受け持つ強度に劣り、その幼児の反復的な振動を受けて、早期にガタツキ・破損してしまうのである。
【０００６】
他方、上記サドル（１ａ）を図１６のような最低位置まで下降させたステップ（１ｂ）としての使用状態では、そのステップ（１ｂ）が玩具本体フレーム（６）に積み重なるため、それだけ地上高さ（ｈ２）が高くなり、これに片足を載せる幼児の身長が低い場合、甚だ使い難くなるばかりでなく、転倒事故を起す危険性もある。
【０００７】
それにもまして、図１５のような乗用玩具（三輪車）（Ａ）のサドル（１ａ）として使用される平盤の上面（水平なシート面）が、そのまま図１６のようなキックスクーター（スケーター）（Ｂ）のステップ（１ｂ）として使用され、ここに幼児の片足が靴などを履いたまま載せられることになるため、その平盤の上面（水平な足載せ面）が汚損するだけにとどまらず、早期に変形したり、破損したりすることは必至であり、その意味からも耐用性に劣る。
【課題を解決するための手段】
【０００８】
本考案はこのような諸問題の抜本的な解決を目的としており、その目的を達成するために、請求項１では玩具本体フレームのサドル受け台を前上がり傾斜壁面と水平な床面とが鈍角に交叉する側面視のほぼ倒立ヘ字形に造形して、その床面にサドルの座盤片受け入れ凹溝を陥没させ、
【０００９】
サドルを上記サドル受け台の前上がり傾斜壁面とほぼ対応する脚盤片と、上記床面のサドル座盤片受け入れ凹溝と対応合致する水平な座盤片とが、上記サドル受け台と同じ鈍角に交叉する側面視のほぼ倒立へ字形に屈曲形成して、
【００１０】
上記サドルの座盤片をサドル受け台のサドル座盤片受け入れ凹溝へ沈没状態に嵌合させると共に、そのサドルの前上がり傾斜姿勢にある脚盤片の上部前端を上記サドル受け台における前上がり傾斜壁面の上部前端へ、１本の水平な串刺しボルトを介して着脱自在に取り付け固定することにより、幼児が上記座盤片の上向くステップ面に片足を載せるキックスクーターとして使用できる一方、
【００１１】
上記サドルをその前後と上下の逆向く側面視のほぼヘ字形に変換して、その後下がり傾斜姿勢となる脚盤片の下部後端をサドル受け台におけるサドル座盤片受け入れ凹溝の後端部へ抜け止め状態に差し込むと共に、そのサドルにおける座盤片の上部前端を上記サドル受け台における前上がり傾斜壁面の上部前端へ、同じ１本の水平な串刺しボルトを介して着脱自在に取り付け固定することにより、幼児が上記座盤片の上向くシート面に跨がり坐る乗用玩具として使用できるように定めたことを特徴とする。
【００１２】
又、請求項２ではサドルを形作る脚盤片の先端部と座盤片の先端部から、互いに同じ水平な第１、２取付ステーを相反する前後方向へ連続的に張り出すと共に、その第１、２取付ステーの中心部に各々串刺しボルト受け入れ貫通孔を開口形成する一方、
【００１３】
サドル受け台における前上がり傾斜壁面の上部前端をサドルの上部前端受け止め凹段面として陥没させ、その陥没との相対的に隆起する左右両サイド面に、上記サドル側の串刺しボルト受け入れ貫通孔と合致連通し得る一対の串刺しボルト受け入れ貫通孔を開口形成すると共に、
【００１４】
上記サドル受け台の水平な床面から陥没するサドル座盤片受け入れ凹溝の後端部に、サドルの下部後端逃し入れ口と下部後端抜け止めトンネルとを連通状態に切り欠いて、
【００１５】
上記サドル側の第１、２取付ステーをサドル受け台側のサドル上部前端受け止め凹段面とサドル下部後端抜け止めトンネルへ互換的に取り付けることができ、
【００１６】
しかも、サドルの下部後端となる第１、２取付ステーの何れか一方は、そのサドル受け台のサドル下部後端抜け止めトンネルへ潜り込み状態として挿入するだけにとどめ、
【００１７】
同じくサドルの上部前端となる第１、２取付ステーの残る他方は、そのサドル受け台のサドル上部前端受け止め凹段面へ載置させた上、そのサドル側とサドル受け台側との互いに合致連通する上記串刺しボルト受け入れ貫通孔へ横方向から差し込まれる水平な串刺しボルトによって、サドル受け台の前上がり傾斜壁面へ取り付け固定するように定めたことを特徴とする。
【００１８】
請求項３ではサドルにおける幼児が跨がり坐る座盤片の上面をシート面として、そのシート面に幼児の滑り止め用となる複数の凹条を左右方向に沿い列設する一方、
【００１９】
上記サドルの前後と上下が逆向く変換により、幼児が片足を載せることになる座盤片の上面をステップ面として、そのステップ面に幼児の滑り止め用となる多数の凸条をやはり左右方向に沿い列設したことを特徴とする。
【００２０】
更に、請求項４ではサドルを形作る脚盤片の左右両サイド面に、片手で挟み持つことができる一対の手掛け凹溝を陥没させたことを特徴とする。
【考案の効果】
【００２１】
請求項１の構成によれば、前上がり傾斜壁面と水平な床面とから側面視のほぼ倒立ヘ字形をなす玩具本体フレームのサドル受け台に対して、これとほぼ対応する脚盤片と水平な座盤片とから側面視のほぼ倒立へ字形に屈曲形成されたサドルを、言わばそのままの姿勢状態として取り付けることにより、その水平な座盤片の上向くステップ面に幼児が片足を載せるキックスクーター（スケーター）としての使用状態を得られる一方、上記サドルの前後と上下（表裏）が逆向く側面視のほぼヘ字形に姿勢変換させて、玩具本体フレームのサドル受け台へ同じ着脱操作により取り付ければ、その水平な座盤片の上向き反転したシート面に幼児が跨がり坐る乗用玩具としての使用状態を得られるのであり、使用上の安定性と利便性に優れる。
【００２２】
つまり、乗用玩具のサドルを前後と上下（表裏）の逆向きに変換して、玩具本体フレームのサドル受け台へ付け変えるだけで、幼児が跨がり坐った両足で地面を蹴る乗用玩具としての使用のみならず、上下の反転したサドルに幼児が片足を載せ、残る片足で地面を蹴るキックスクーター（スケーター）としても使用することができ、著しく便利である。
【００２３】
しかも、サドルの上下（表裏）が幼児の跨がり坐るシート面と、幼児が片足を載せるステップ面（踏面）として、各別に使用されるようになっているため、冒頭に述べた従来の市販品のように、そのシート面が靴などを履いた片足によって汚損されるおそれはなく、その坐るたび毎の頻繁な清掃作業を行う必要や、サドルが早期に変形したり、破損したりするおそれもない。
【００２４】
又、キックスクーター（スケーター）としての使用時には、上下と前後の逆向きに変換されたサドルが、その玩具本体フレームのサドル受け台へ沈没状態に取り付けられるため、その幼児の片足を載せるステップ面の地上高さが、サドル受け台の厚み分に相当するそれとして、著しく低く確保されることとなり、その結果幼児の身長差に左右されることなく、誰でも安全に安定良く使用することができ、冒頭に述べた市販品のような転倒事故などを起す危険性はない。
【００２５】
特に、請求項２の構成を採用するならば、サドルに形成された第１、２取付ステーが互いに同一であり、玩具本体フレームのサドル受け台に形成されたサドル上部前端受け止め凹段面とサドル下部後端抜け止めトンネルとが互いに同一であって、互換性を有するため、そのサドルの前後と上下（表裏）を変換しやすく、しかもサドルの下部後端はサドル受け台のサドル下部後端抜け止めトンネルへ潜り込み状態に挿入されるだけであるにとどまり、サドルの上部前端だけをサドル受け台のサドル上部前端受け止め凹段面に受け止めた状態のもとで、横方向から抜き差し可能な水平の串刺しボルトによって、上記サドル受け台の前上がり傾斜壁面へ取り付け固定するようになっているため、その取り付けと取りはずしの操作性がますます向上する。
【００２６】
更に、請求項３の構成を採用するならば、サドルにおける水平な座盤片の上下（表裏）を各別のシート面並びにステップ面として、その何れも使用中に幼児が滑らない安定状態に保つことができる。請求項４の構成を採用するならば、特にサドルの脚盤片をサドル受け台の前上がり傾斜壁面から取りはずす時、その操作を容易に便利良く行える効果がある。
【図面の簡単な説明】
【００２７】
【図１】本考案に係る乗用玩具（三輪車）としての使用状態を示す斜面図である。
【図２】図１の側面図である。
【図３】図２の平面図である。
【図４】図３の４−４線断面図である。
【図５】玩具本体フレームを抽出して示す平面図である。
【図６】図５の右側面図である。
【図７】図５の７−７線断面図である。
【図８】サドルを抽出して示す側面図である。
【図９】図８の平面図である。
【図１０】図８のの右側面図である。
【図１１】本考案に係るキックスクーター（スケーター）としての使用状態を示す斜面図である。
【図１２】図１１の側面図である。
【図１３】図１２の平面図である。
【図１４】図１３の１４−１４線断面図である。
【図１５】従来の市販品における乗用玩具（三輪車）としての使用状態を示す斜面図である。
【図１６】同じくキックスクーター（スケーター）としての使用状態を示す斜面図である。
【考案を実施するための形態】
【００２８】
以下、図面に基いて本考案の好適な実施形態を詳述すると、図１〜４はその乗用玩具（三輪車）（Ａ）としての使用状態を示しており、（Ｆ）はポリエチレンやポリプロピレン、その他の熱可塑性樹脂から一体成形（好ましくはブロー成形）された玩具本体フレームであって、側面視のほぼ倒立ヘ字形をなすサドル受け台（１０）と、その前部から連続的に張り出すハンドル軸受けヘッド（１１）と、同じくサドル受け台（１０）の後部から連続的に後方へ延長する後車軸受けテール（１２）とを備えている。
【００２９】
更に言えば、上記玩具本体フレーム（Ｆ）を抽出して示した図５〜７から明白なように、そのサドル受け台（１０）は前上がり傾斜壁面（１０ａ）と水平な床面（１０ｂ）との鈍角（好ましくは約１００度）（α）に交叉した屈曲形状を呈しており、その前上がり傾斜壁面（１０ａ）の上部から前方と上方へ連続的に張り出すノーズコーン状のハンドル軸受けヘッド（１１）には、ハンドル受け入れ孔（１３）が後上がり傾斜状態に貫通形成されている。
【００３０】
又、上記サドル受け台（１０）の水平な床面（１０ｂ）は前部から後部へ行く程、徐々に幅広く左右方向へ張り出し形成されており、その後部の中央から狭幅な後車軸受けテール（１２）が一定長さ（Ｅ）だけ後方へ水平に張り出している。（１４）はその後車軸受けテール（１２）における左右一対の軸受けボス（１５）も含む全体を貫通する水平な後車軸受け入れ孔であり、ここへ差し込み横架される水平な後車軸（１６）を介して、左右一対の後車輪（１７）が遊転自在に支持されることとなる。尚、その後車輪（１７）のフェンダー（図示省略）を上記後車軸受けテール（１２）の左右両サイド面から連続的に曲げ起しても良い。
【００３１】
そして、後述のサドル（Ｓ）と対応合致する大きさ・輪郭形状のサドル受け入れ凹溝（Ｇ１）（Ｇ２）が、上記サドル受け台（１０）の前上がり傾斜壁面（１０ａ）から水平な床面（１０ｂ）まで及ぶ全体的な一連の陥没状態に形成されている。
【００３２】
その場合、図７から明白なように、前上がり傾斜壁面（１０ａ）に陥没するサドル受け入れ凹溝はサドル脚盤片受け入れ凹溝（Ｇ１）として、その深さの比較的浅く形成されている一方、水平な床面（１０ｂ）に陥没するサドル受け入れ凹溝はサドル座盤片受け入れ凹溝（Ｇ２）として、その深さの比較的深く形成されている。
【００３３】
但し、前上がり傾斜壁面（１０ａ）のサドル脚盤片受け入れ凹溝（Ｇ１）を浅く陥没させた理由は、後述するサドル（Ｓ）の脚盤片に陥没する左右一対の手掛け凹溝が遮蔽されてしまうことを防ぐことにあるため、そのサドル脚盤片受け入れ凹溝（Ｇ１）の形成を省略しても良い。
【００３４】
更に、上記前上がり傾斜壁面（１０ａ）の上部前端には後述するサドル（Ｓ）の上部前端受け止め凹段面（１８）が、そのサドル脚盤片受け入れ凹溝（Ｇ１）と連通する図５、７のような平面視の倒立Ｕ字形（後向きに開放するＵ字形）に陥没している。（Ｗ）（Ｄ）（Ｌ）はそのサドル上部前端受け止め凹段面（１８）の開口幅と深さ並びに奥行を示している。
【００３５】
（１９）はその陥没との相対的に隆起する左右両サイド壁面へ、向かい合う一対として開口分布された串刺しボルト受け入れ貫通孔であり、その何れか一方の外端部が後述するサドル固定用串刺しボルトの径大な頭部を受け入れる円形に開口しているに比して、残る他方の外端部は後述する固定ナットの廻り止め用として角形（好ましくは六角形）に開口している。
【００３６】
又、上記水平な床面（１０ｂ）の後端部（後車軸受けテールとの境界部）にはサドル（Ｓ）の下部後端逃し入れ口（２０）が、そのサドル座盤片受け入れ凹溝（Ｇ２）と連通する図５、７のような底無し状態に切り抜かれている。（２１）はそのサドル（Ｓ）の下部後端逃し入れ口（２０）と同じ開口幅（Ｗ）として合致連通するサドル（Ｓ）の下部後端抜け止めトンネルであり、その天井面（２１ｃ）によってサドル（Ｓ）の下部後端を抜け止め状態に保つ。
【００３７】
つまり、上記サドル（Ｓ）の上部前端受け止め凹段面（１８）が図７のような上向き開口状態にあって、サドル（Ｓ）の上部前端を下方から受け止めるに比し、同じくサドル（Ｓ）の下部後端抜け止めトンネル（２１）は上記サドル（Ｓ）の上部前端受け止め凹段面（１８）とほぼ同じ開口幅（Ｗ）と深さ（Ｄ）並びに奥行（Ｌ）を有するも、その上部前端受け止め凹段面（１８）と逆な下向き開口状態にあり、上記サドル（Ｓ）の下部後端逃し入れ口（２０）からサドル下部後端抜け止めトンネル（２１）の内部へ円滑に潜り込み挿入されたサドル（Ｓ）の下部後端が上方へ抜け出すおそれを、その天井面（２１ｃ）によって防止できるようになっている。
【００３８】
しかも、上記サドル（Ｓ）の上部前端受け止め凹段面（１８）が図５のような平面視の倒立Ｕ字形（後向きに開放するＵ字形）をなすに比して、サドル（Ｓ）の下部後端抜け止めトンネル（２１）はこれと言わば前後方向から向かい合う底面視のＵ字形（前向きに開放するＵ字形）をなしており、その輪郭形状と大きさが互いにほぼ同一として、サドル（Ｓ）の上部前端と下部後端とを互換的に受け止め拘束できる関係にある。
【００３９】
（２２）は倒立Ｕ字形の金属板（好ましくは鋼板）から成る前フォークであり、これから一体的に起立する金属管（同じく鋼管）のステム（２３）が、上記玩具本体フレーム（Ｆ）におけるハンドル軸受けヘッド（１１）のハンドル受け入れ孔（１３）へ、下方から抜き差し自在に差し込み貫通されている。
【００４０】
（２４）は前車輪のフェンダーを兼ねた熱可塑性樹脂製の前フォークカバーであり、その前フォーク（２２）のステム（２３）へ通し込み一体化されている。（２５）は前フォーク（２２）とその前フォークカバー（２４）の下端部に固定横架された水平な前車軸であり、１個の前車輪（２６）を遊転自在に支持している。
【００４１】
更に、（２７）は上記前フォーク（２２）のステム（２３）へ上方から抜き差し自在に差し込み嵌合された金属管（好ましくは鋼管）のハンドルポストであり、その嵌合部を被覆する熱可塑性樹脂製の連結カバー（２８）と、同じく嵌合部を貫通する連結ボルト・ナット（２９）によって、前フォーク（２２）と一体的に回動し得るようになっている。
【００４２】
その場合、前フォーク（２２）のステム（２３）並びに連結カバー（２８）と嵌合するハンドルポスト（２７）には、少なくとも上下一対の連結ボルト受け入れ孔（３０ａ）（３０ｂ）が開口分布されており、その上側の連結ボルト受け入れ孔（３０ａ）へ上記連結ボルト・ナット（２９）を差し込むことによって、ハンドルポスト（２７）を図１〜４のような背低く短縮した起立状態に固定維持することができ、その連結ボルト・ナット（２９）を引き抜いて、下側の連結ボルト受け入れ孔（３０ｂ）へ差し替えることにより、同じくハンドルポスト（２７）を図１１〜１４のような背高く引き伸ばした起立状態に固定維持することができるようになっている。
【００４３】
何れにしても、上記ハンドルポスト（２７）の上端部には熱可塑性樹脂製のハンドルバー（３１）が、上下一対づつの貫通ボルト・ナット（３２）を介して被覆状態に取り付け固定されているため、これを幼児が両手で握り持ち乍ら、前車輪（２６）の操向を行えるのである。（３３）は上記ハンドル軸受けヘッド（１１）のハンドル受け入れ孔（１３）へ差し込み封止された上下一対の熱可塑性樹脂製スペーサーである。
【００４４】
先に一言したサドル（Ｓ）は玩具本体フレーム（Ｆ）と同じポリエチレンやポリプロピレンなどの熱可塑性樹脂から、そのサドル受け台（１０）のサドル受け入れ凹溝（Ｇ１）（Ｇ２）と対応する側面視のほぼ倒立へ字形に一体成形（好ましくはブロー成形）されており、これを図１〜４のように玩具本体フレーム（Ｆ）へ、前後と上下（表裏）の逆向く側面視のほぼへ字形となるように取り付ければ、そのサドル（Ｓ）へ幼児の跨がり坐ることができる乗用玩具（三輪車）（Ａ）としての使用状態を得られるようになっている。
【００４５】
即ち、サドル（Ｓ）は図８〜１０に抽出して示す如く、上記サドル受け台（１０）の前上がり傾斜壁面（１０ａ）に陥没しているサドル脚盤片受け入れ凹溝（Ｇ１）とほぼ対応合致する比較的短かい脚盤片（３４ａ）と、同じくサドル受け台（１０）の水平な床面（１０ｂ）に陥没しているサドル座盤片受け入れ凹溝（Ｇ２）と対応合致する比較的長い座盤片（３４ｂ）とを備え、その脚盤片（３４ａ）と座盤片（３４ｂ）とが上記サドル受け台（１０）と同じ鈍角（好ましくは約１００度）（α）に交叉した屈曲形状をなしている。
【００４６】
しかも、そのサドル（Ｓ）としての使用時に幼児が跨がり坐る水平な座盤片（３４ｂ）の上面（表面）は、シート面（３５）として側面視の滑らかな凹曲面に形成されている一方、その座盤片（３４ｂ）の下面（裏面）は幼児が片足を載せるステップ面（踏面）（３６）として、ここには片足の滑り止め用となる多数の凸条（３７）が、左右方向に沿い列設されている。
【００４７】
上記シート面（３５）の後上がり傾斜面には幼児の滑り止め用となる複数の凹条（３８）が、左右方向に沿って列設されており、しかもそのシート面（３５）の隆起した後端部は平面視の円弧形に縁取りされている。（３９）は上記サドル（Ｓ）における脚盤片（３４ａ）の左右両サイド面に陥没する一対の手掛け凹溝であり、幼児の保護者などがサドル（Ｓ）を玩具本体フレーム（Ｆ）から取りはずす時、その片手を掛けて挟み持つために使用する。
【００４８】
又、図８〜１０のような側面視のほぼヘ字形に屈曲するサドル（Ｓ）の比較的短かい脚盤片（３４ａ）と比較的長い座盤片（３４ｂ）のうち、その脚盤片（３４ａ）の先端部からは一定の幅（Ｘ）と長さ（Ｙ）並びに太さ（Ｚ）を有するダボ状（角棒状）の第１取付ステー（４０）が、座盤片（３４ｂ）と反対の方向（外方）へほぼ直角（β）に曲げ出されて、その座盤片（３４ｂ）とほぼ平行な水平状態にある。
【００４９】
他方、座盤片（３４ｂ）の先端部からも上記第１取付ステー（４０）と同じ一定の幅（Ｘ）と長さ（Ｙ）並びに太さ（Ｚ）を有するダボ状（角棒状）の第２取付ステー（４１）が、そのシート面（３５）の延長方向（上記第１取付ステーの張り出し方向と逆な外方）へほぼ水平に張り出されており、上記第１取付ステー（４０）とほぼ平行している。
【００５０】
（４２）はこのような第１、２取付ステー（４０）（４１）の中心部に形成された互いに同じ串刺しボルト受け入れ貫通孔であって、上記サドル受け台（１０）側の串刺しボルト受け入れ貫通孔（１９）と合致連通し得るようになっており、ここへ後述するサドル固定用の長い串刺しボルト（４３）が横方向から抜き差し自在に差し込まれ、その先端部に固定ナット（４４）が締結されることとなる。
【００５１】
茲に、サドル（Ｓ）の第１、２取付ステー（４０）（４１）は上記サドル受け台（１０）に形成されているサドル上部前端受け止め凹段面（１８）及びサドル下部後端抜け止めトンネル（２１）と同様に、串刺しボルト受け入れ貫通孔（４２）も含む全体の互いにほぼ同じ大きさ・形状として互換性を有し、サドル（Ｓ）をその玩具本体フレーム（Ｆ）のサドル受け台（１０）へ、前後と上下（表裏）の逆向きに変換して取り付け使用できるようになっている。
【００５２】
そこで、図１〜４のような乗用玩具（三輪車）（Ａ）として使用する場合には、その側面視のほぼヘ字形をなすサドル（Ｓ）の後下がり傾斜姿勢（前上がり傾斜姿勢）に起立する脚盤片（３４ａ）の先端部（下部後端）から外向き（後向き）に曲がり出す水平な第１取付ステー（４０）を、先ず上記サドル受け台（１０）のサドル下部後端逃し入れ口（２０）からサドル下部後端抜け止めトンネル（２１）の内部へ潜り込む状態に挿入する。
【００５３】
次いで、サドル（Ｓ）における座盤片（３４ｂ）の先端部（上部前端）から外向き（前向き）に張り出し延長する水平な第２取付ステー（４１）を、同じくサドル受け台（１０）のサドル上部前端受け止め凹段面（１８）に載置させた後、そのサドル（Ｓ）側とサドル受け台（１０）側との互いに合致連通する串刺しボルト受け入れ貫通孔（１９）（４２）へ、横方向から１本の長い串刺しボルト（４３）を差し込み貫通させて、その串刺しボルト（４３）の先端部へ固定ナット（４４）を締結することにより、サドル（Ｓ）を玩具本体フレーム（Ｆ）におけるサドル受け台（１０）の就中前上がり傾斜壁面（１０ａ）へ取り付け固定する。
【００５４】
そうすれば、サドル（Ｓ）の座盤片（３４ｂ）が後下がり傾斜姿勢（前上がり傾斜姿勢）として起立する脚盤片（３４ａ）により、玩具本体フレーム（Ｆ）のサドル受け台（１０）へ一定な設置高さ（Ｈ１）の水平状態に安定良く支持されることとなるため、幼児はその座盤片（３４ｂ）のシート面（３５）へ跨がる状態に坐って、自分の両足により地面を蹴り走行することができる。
【００５５】
その場合、サドル受け台（１０）の比較的深いサドル座盤片受け入れ凹溝（Ｇ２）は上向き開口状態に放置されるため、その内部へ遊戯用や清掃用などの適当な小物類（図示省略）を収納したり、又そのサドル座盤片受け入れ凹溝（Ｇ２）の後端部にはサドル下部後端逃し入れ口（２０）が底無し状態に連通開口しているため、上記サドル座盤片受け入れ凹溝（Ｇ２）の内部に万一溜まった土砂などの異物を不使用時に、そのサドル下部後端逃し入れ口（２０）から外部へ掃き出し落下させたりすることができ、便利である。
【００５６】
上記のようなサドル（Ｓ）へ跨がり坐る乗用玩具（三輪車）（Ａ）として使用する場合には、図１〜４から併せて明白なように、ハンドルポスト（２７）における下側の連結ボルト受け入れ孔（３０ｂ）へ連結ボルト・ナット（２９）を差し込んで、そのハンドルバー（３１）を上記シート面（３５）に坐った幼児が握り持ち操向できる背低い固定状態に保つのである。
【００５７】
他方、図１１〜１４のようなキックスクーター（スケーター）（Ｂ）として使用する場合には、図１〜４の状態にあるサドル（Ｓ）をその固定用串刺しボルト（４３）の引き抜きにより、玩具本体フレーム（Ｆ）のサドル受け台（１０）から一旦取りはずし、前後と上下（表裏）の逆向く側面視のほぼ倒立ヘ字形に変換する。
【００５８】
そして、先ず上記サドル（Ｓ）における座盤片（３４ｂ）の先端部（下部後端）から外向き（後向き）に張り出し延長する水平な第２取付ステー（４１）を、サドル受け台（１０）のサドル下部後端逃し入れ口（２０）からサドル下部後端抜け止めトンネル（２１）の内部へ、やはり潜り込む状態に挿入する。
【００５９】
次に、サドル（Ｓ）の前上がり傾斜姿勢として起立する脚盤片（３４ａ）の先端部（上部前端）から外向き（前向き）に曲がり出す水平な第１取付ステー（４０）を、同じくサドル受け台（１０）のサドル上部前端受け止め凹段面（１８）に載置させた後、そのサドル（Ｓ）側とサドル受け台（１０）側との互いに合致連通する串刺しボルト受け入れ貫通孔（１９）（４２）へ、やはり横方向から同じ串刺しボルト（４３）を差し込み貫通させて、その先端部へ固定ナット（４４）を締結することにより、上記サドル（Ｓ）を玩具本体フレーム（Ｆ）におけるサドル受け台（１０）の同じ前上がり傾斜壁面（１０ａ）へ取り付け固定するのである。
【００６０】
そうすれば、サドル（Ｓ）の座盤片（３４ｂ）が玩具本体フレーム（Ｆ）におけるサドル受け台（１０）の水平な床面（１０ｂ）に陥没している深いサドル座盤片受け入れ凹溝（Ｇ２）の内部へ、完全な沈没状態に嵌合して、その座盤片（３４ｂ）の上向き反転したステップ面（３６）と、サドル受け台（１０）の床面（１０ｂ）とが互いに無段差の均一な上面（表面）を形成することになるばかりでなく、そのステップ面（３６）の地上高さ（Ｈ２）が著しく低く確保されることにもなる。
【００６１】
そのため、幼児はその片足を上記座盤片（３４ｂ）のステップ面（３６）へ、安全に安定良く載せることができ、残る片足により地面を蹴って走行し得るのであり、幼児の身長差に拘らず、常に使いやすくなる。
【００６２】
このようなキックスクーター（スケーター）（Ｂ）として使用する場合には、図１１〜１４から併せて明白なように、ハンドルポスト（２７）における上側の連結ボルト受け入れ孔（３０ａ）へ連結ボルト・ナット（２９）を差し替えて、そのハンドルバー（３１）を上記ステップ面（３６）へ言わば立ち乗りする幼児が握り持ち操向できる背高い固定状態に保つ。
【００６３】
先にはサドル（Ｓ）を図１〜４のような乗用玩具（三輪車）（Ａ）としての使用状態から、図１１〜１４のようなキックスクーター（スケーター）（Ｂ）としての使用状態へ、前後と上下（表裏）の逆向きに変換して取り付ける旨を説明したが、そのキックスクーター（スケーター）（Ｂ）としての使用状態から乗用玩具（三輪車）（Ａ）としての使用状態へ、サドル（Ｓ）を付け変えることも勿論でき、その着脱操作は同じである。
【００６４】
その場合、図１１〜１４の使用状態にあるサドル（Ｓ）の脚盤片（３４ａ）に陥没している左右一対の手掛け凹溝（３９）は、サドル受け台（１０）の前上がり傾斜壁面（１０ａ）によって遮蔽されておらず、その横方向への開口状態にあるため、上記サドル（Ｓ）の脚盤片（３４ａ）を玩具本体フレーム（Ｆ）のサドル受け台（１０）から取りはずす時に、その手掛け凹溝（３９）へ片手を掛けて挟み持つことができ、著しく便利である。
【００６５】
更に、上記サドル（Ｓ）を図１〜４のような乗用玩具（三輪車）（Ａ）としての使用状態から、図１１〜１４のようなキックスクーター（スケーター）（Ｂ）としての使用状態へ又はその逆方向へ変換する何れの場合でも、そのサドル（Ｓ）の下部後端は玩具本体フレーム（Ｆ）のサドル受け台（１０）に形成されたサドル下部後端抜け止めトンネル（２１）の内部へ、ただ単なる潜り込み状態に抜き差し操作すれば良く、サドル（Ｓ）の上部前端だけを上記サドル受け台（１０）の前上がり傾斜壁面（１０ａ）に形成されたサドル上部前端受け止め凹段面（１８）へ載置して、その前上がり傾斜壁面（１０ａ）へ１本の抜き差し可能なサドル固定用串刺しボルト（４３）により、着脱自在に取り付け固定すれば足りるため、上記使用状態の変換とそのサドル受け台（１０）への取り付け作業を、言わばワンタッチ操作式での軽快に行なえるのである。
【００６６】
尚、図示実施形態の乗用玩具（Ａ）は１個の前車輪（２６）と左右一対の後車輪（１７）を有する三輪車であるが、これに代る左右一対の前車輪（２６）と１個の後車輪（１７）から成る三輪車や、左右一対づつの前車輪（２６）と後車輪（１７）から成る四輪車であっても、本考案を適用することができる。
【符号の説明】
【００６７】
（１０）・サドル受け台
（１０ａ）・前上がり傾斜壁面
（１０ｂ）・床面
（１１）・ハンドル軸受けヘッド
（１２）・後車軸受けテール
（１３）・ハンドル受け入れ孔
（１４）・後車軸受け入れ孔
（１５）・軸受けボス
（１６）・後車軸
（１７）・後車輪
（１８）・サドル上部前端受け止め凹段面
（１９）・串刺しボルト受け入れ貫通孔
（２０）・サドル下部後端逃し入れ口
（２１）・サドル下部後端抜け止めトンネル
（２１ｃ）・天井面
（２２）・前フォーク
（２３）・ステム
（２４）・前フォークカバー
（２５）・前車軸
（２６）・前車輪
（２７）・ハンドルポスト
（２８）・連結カバー
（２９）・連結ボルト・ナット
（３０ａ）（３０ｂ）・連結ボルト受け入れ孔
（３１）・ハンドルバー
（３２）・貫通ボルト・ナット
（３３）・スペーサー
（３４ａ）・脚盤片
（３４ｂ）・座盤片
（３５）・シート面
（３６）・ステップ面
（３７）・滑り止め凸条
（３８）・滑り止め凹条
（３９）・手掛け凹溝
（４０）・第１取付ステー
（４１）・第２取付ステー
（４２）・串刺しボルト受け入れ貫通孔
（４３）・串刺しボルト
（４４）・固定ナット
（Ａ）・乗用玩具（三輪車）
（Ｂ）・キックスクーター（スケーター）
（Ｆ）・玩具本体フレーム
（Ｓ）・サドル
（Ｇ１）・サドル脚盤片受け入れ凹溝
（Ｇ２）・サドル座盤片受け入れ凹溝
（Ｈ１）・サドルの設置高さ
（Ｈ２）・ステップの地上高さ